(57)【要約】【課題】本発明は、充電台に接続される端子を２つ有する携帯電子機器を、携帯電子機器の第２面が充電台側に配置される第１状態又は携帯電子機器の第１面が充電台側に配置される第２状態いずれの状態で装着された場合であっても、充電できる充電システムを提供すること。【解決手段】携帯電子機器１の充電端子５０又は基準電位端子５１のいずれか一方に接続される第１供給端子７１０と、いずれか他方に接続される第２供給端子７２０と、を有する充電台９００を備え、携帯電子機器１は、第１状態Ｕ１又は第２状態Ｕ２で充電台９００に装着され、充電台９００は、充電端子５０又は基準電位端子５１に接続される検出端子７０５と、携帯電子機器１の装着状態を検出する検出部６０と、検出部６０の検出結果により電力供給部６８から充電池４６ａへ供給される電力を制御する充電回路部６７と、を有する。【選択図】図３
2010200445.tif 000002
【特許請求の範囲】
【請求項１】
充電池と、前記充電池に電気的に接続される充電端子及び基準電位端子と、を有する携帯電子機器と、
前記充電端子又は前記基準電位端子のいずれか一方に電気的に接続される第１供給端子と、前記充電端子又は前記基準電位端子のいずれか他方に電気的に接続される第２供給端子と、を有する充電台と、
を備える充電システムであって、
前記携帯電子機器は、第１面と前記第１面の反対側に形成される第２面とを有する筐体を備え、前記第２面が前記充電台側に向くように配置される第１状態又は前記第１面が前記充電台側に向くように配置される第２状態で前記充電台に装着され、
前記充電台は、
前記第１供給端子又は前記第２供給端子を介して前記充電池に電力を供給する電力供給部と、
前記携帯電子機器が前記充電台に装着される過程において、前記第１供給端子及び前記第２供給端子よりも先に前記充電端子又は前記基準電位端子に電気的に接続される検出端子と、
前記検出端子が前記充電端子に接続された場合には、前記携帯電子機器が前記第１状態で前記充電台に装着されたことを検出し、前記検出端子が前記基準電位端子に接続された場合には、前記携帯電子機器が前記第２状態で前記充電台に装着されたことを検出する検出部と、
前記検出部による検出結果に基づいて、前記第１供給端子又は前記第２供給端子を介して前記電力供給部から前記充電池へ供給される電力を制御する充電回路部と、を有する充電システム。
【請求項２】
前記第１供給端子は、前記携帯電子機器が前記充電台に装着される過程において、前記検出端子の接続後に前記充電端子又は前記基準電位端子のいずれか一方に接続され、
前記第２供給端子は、前記検出端子の接続後に前記充電端子又は前記基準電位端子のいずれか他方に接続され、
前記充電回路部は、前記携帯電子機器が前記第１状態で前記充電台に装着されたことを前記検出部が検出した場合には、前記充電端子に接続された前記第１供給端子を介して前記充電池に前記電力供給部から電力を供給し、前記携帯電子機器が前記第２状態で前記充電台に装着されたことを前記検出部が検出した場合には、前記充電端子に接続された前記第２供給端子を介して前記充電池に前記電力供給部から電力を供給する請求項１に記載の充電システム。
【請求項３】
前記充電端子又は前記基準電位端子のいずれか一方は、前記携帯電子機器が前記充電台に装着された場合には、前記検出端子及び前記第１供給端子の両方に接続され、
前記検出部は、前記充電端子が前記検出端子及び前記第１供給端子の両方に接続された場合には、前記第１状態であることを検出し、前記基準電位端子が前記検出端子及び前記第１供給端子の両方に接続された場合には、前記第２状態であることを検出する請求項２に記載の充電システム。
【請求項４】
前記携帯電子機器は、表示部を有し、
前記表示部は、前記第２面に配置され、前記携帯電子機器が前記第１状態で前記充電台に装着された場合には、前記表示部は前記充電台に覆われ、前記携帯電子機器が前記第２状態で前記充電台に装着された場合には、前記表示部は前記充電台に覆われていない請求項１から３のいずれかに記載の充電システム。
【請求項５】
前記携帯電子機器は、前記表示部の表示動作を制御する表示制御部を有し、
前記表示制御部は、前記検出部が前記第１状態を検出した場合には、前記表示部の表示動作を停止し、前記検出部が前記第２状態を検出した場合には、前記表示部の表示動作を実行する請求項４に記載の充電システム。
【請求項６】
前記携帯電子機器は、スピーカと、前記スピーカの音量を制御する音声制御部とを有し、
前記スピーカは、前記第２面に配置されており、
前記音声制御部は、前記検出部が前記第１状態を検出した後の前記スピーカの音量の大きさを、前記検出部が前記第２状態を検出した後の前記スピーカの音量よりも大きくする請求項１から５のいずれかに記載の充電システム。
【請求項７】
前記充電台は、前記携帯電子機器を装着して載置する載置部を有し、
前記検出端子と前記第１供給端子とは、前記携帯電子機器の前記載置部への装着方向において並んで配置されると共に、前記第１供給端子は、前記検出端子よりも前記載置部側に配置されており、
前記第１供給端子と前記第２供給端子とは、前記装着方向に対して交差する方向において並んで配置されており、
前記携帯電子機器の前記載置部への装着方向は、前記携帯電子機器の厚さ方向に沿っており、
前記携帯電子機器は、前記充電端子と前記基準電位端子とが、前記装着方向に対して交差する方向において並んで配置されて構成され、
前記携帯電子機器が前記第１状態で前記充電台に装着された場合には、前記検出端子及び前記第１供給端子は、前記充電端子に対向して配置されると共に、前記第２供給端子は、前記基準電位端子に対向して配置されており、
前記携帯電子機器が前記第２状態で前記充電台に装着された場合には、前記検出端子及び前記第１供給端子は、前記基準電位端子に対向して配置されると共に、前記第２供給端子は、前記充電端子に対向して配置される
請求項１から６のいずれかに記載の充電システム。
【発明の詳細な説明】
【技術分野】
【０００１】
本発明は、携帯電話機等の携帯電子機器と充電台とを備える充電システムに関する。
【背景技術】
【０００２】
従来より、携帯電子機器に電力を供給する充電システムとして、充電池並びに充電池に接続される充電端子及びグランド端子を有する携帯電子機器と、充電端子に接続される電力供給端子及びグランド端子に接続される充電側グランド端子を有する充電台と、を備える充電システムが知られている。
【０００３】
このような充電システムにおいて、携帯電子機器を充電台で充電する場合には、携帯電子機器を充電台に装着して、携帯電子機器側の前記端子と、充電台側の前記端子とを接続する。
ところで、第１面及び第２面を有する第携帯電子機器の充電台への装着状態に関して、携帯電子機器の第２面が充電台側に配置される第１状態又は携帯電子機器の第１面が充電台側に配置される第２状態いずれの状態で装着された場合であっても充電できる充電システムが提案されている（例えば、特許文献１参照）。
【先行技術文献】
【特許文献】
【０００４】
【特許文献１】特開平６−２０４９３４号公報
【発明の概要】
【発明が解決しようとする課題】
【０００５】
特許文献１の充電システムにおいては、携帯電子機器には、第１状態又は第２状態いずれの状態で充電台に装着されても充電台に接続できるように、３つの端子が外部に露出して設けられている。一般に、携帯電子機器における外部に露出する端子の数は、端子が外部に露出されることによる腐食の可能性や、端子を設けることによる構造上の課題等の観点から、少ないことが好ましい。携帯電子機器における充電のために必要な端子の数は、充電端子及びグランド端子の２つであることが多い。
【０００６】
本発明は、充電台に接続される端子を２つ有する携帯電子機器を、携帯電子機器の第２面が充電台側に配置される第１状態又は携帯電子機器の第１面が充電台側に配置される第２状態いずれの状態で装着された場合であっても、充電できる充電システムを提供することを目的とする。
【課題を解決するための手段】
【０００７】
本発明は、充電池と、前記充電池に電気的に接続される充電端子及び基準電位端子と、を有する携帯電子機器と、前記充電端子又は前記基準電位端子のいずれか一方に電気的に接続される第１供給端子と、前記充電端子又は前記基準電位端子のいずれか他方に電気的に接続される第２供給端子と、を有する充電台と、を備える充電システムであって、前記携帯電子機器は、第１面と前記第１面の反対側に形成される第２面とを有する筐体を備え、前記第２面が前記充電台側に向くように配置される第１状態又は前記第１面が前記充電台側に向くように配置される第２状態で前記充電台に装着され、前記充電台は、前記第１供給端子又は前記第２供給端子を介して前記充電池に電力を供給する電力供給部と、前記携帯電子機器が前記充電台に装着される過程において、前記第１供給端子及び前記第２供給端子よりも先に前記充電端子又は前記基準電位端子に電気的に接続される検出端子と、前記検出端子が前記充電端子に接続された場合には、前記携帯電子機器が前記第１状態で前記充電台に装着されたことを検出し、前記検出端子が前記基準電位端子に接続された場合には、前記携帯電子機器が前記第２状態で前記充電台に装着されたことを検出する検出部と、前記検出部による検出結果に基づいて、前記第１供給端子又は前記第２供給端子を介して前記電力供給部から前記充電池へ供給される電力を制御する充電回路部と、を有する充電システムに関する。
【０００８】
また、前記第１供給端子は、前記携帯電子機器が前記充電台に装着される過程において、前記検出端子の接続後に前記充電端子又は前記基準電位端子のいずれか一方に接続され、前記第２供給端子は、前記検出端子の接続後に前記充電端子又は前記基準電位端子のいずれか他方に接続され、前記充電回路部は、前記携帯電子機器が前記第１状態で前記充電台に装着されたことを前記検出部が検出した場合には、前記充電端子に接続された前記第１供給端子を介して前記充電池に前記電力供給部から電力を供給し、前記携帯電子機器が前記第２状態で前記充電台に装着されたことを前記検出部が検出した場合には、前記充電端子に接続された前記第２供給端子を介して前記充電池に前記電力供給部から電力を供給することが好ましい。
【０００９】
また、前記充電端子又は前記基準電位端子のいずれか一方は、前記携帯電子機器が前記充電台に装着された場合には、前記検出端子及び前記第１供給端子の両方に接続され、前記検出部は、前記充電端子が前記検出端子及び前記第１供給端子の両方に接続された場合には、前記第１状態であることを検出し、前記基準電位端子が前記検出端子及び前記第１供給端子の両方に接続された場合には、前記第２状態であることを検出することが好ましい。
【００１０】
また、前記携帯電子機器は、表示部を有し、前記表示部は、前記第２面に配置され、前記携帯電子機器が前記第１状態で前記充電台に装着された場合には、前記表示部は前記充電台に覆われ、前記携帯電子機器が前記第２状態で前記充電台に装着された場合には、前記表示部は前記充電台に覆われていないことが好ましい。
【００１１】
また、前記携帯電子機器は、前記表示部の表示動作を制御する表示制御部を有し、前記表示制御部は、前記検出部が前記第１状態を検出した場合には、前記表示部の表示動作を停止し、前記検出部が前記第２状態を検出した場合には、前記表示部の表示動作を実行することが好ましい。
【００１２】
また、前記携帯電子機器は、スピーカと、前記スピーカの音量を制御する音声制御部とを有し、前記スピーカは、前記第２面に配置されており、前記音声制御部は、前記検出部が前記第１状態を検出した後の前記スピーカの音量の大きさを、前記検出部が前記第２状態を検出した後の前記スピーカの音量よりも大きくすることが好ましい。
【００１３】
また、前記充電台は、前記携帯電子機器を装着して載置する載置部を有し、前記検出端子と前記第１供給端子とは、前記携帯電子機器の前記載置部への装着方向において並んで配置されると共に、前記第１供給端子は、前記検出端子よりも前記載置部側に配置されており、前記第１供給端子と前記第２供給端子とは、前記装着方向に対して交差する方向において並んで配置されており、前記携帯電子機器の前記載置部への装着方向は、前記携帯電子機器の厚さ方向に沿っており、前記携帯電子機器は、前記充電端子と前記基準電位端子とが、前記装着方向に対して交差する方向において並んで配置されて構成され、前記携帯電子機器が前記第１状態で前記充電台に装着された場合には、前記検出端子及び前記第１供給端子は、前記充電端子に対向して配置されると共に、前記第２供給端子は、前記基準電位端子に対向して配置されており、前記携帯電子機器が前記第２状態で前記充電台に装着された場合には、前記検出端子及び前記第１供給端子は、前記基準電位端子に対向して配置されると共に、前記第２供給端子は、前記充電端子に対向して配置されることが好ましい。
【発明の効果】
【００１４】
本発明によれば、充電台に接続される端子を２つ有する携帯電子機器を、携帯電子機器の第２面が充電台側に配置される第１状態又は携帯電子機器の第１面が充電台側に配置される第２状態いずれの状態で装着された場合であっても、充電できる充電システムを提供することができる。
【図面の簡単な説明】
【００１５】
【図１】本実施形態の充電システムＳについて、携帯電話機１が第１状態Ｕ１で充電台９００に装着された状態を示す斜視図である。
【図２】携帯電話機１が充電台９００に装着される過程の途中を示す斜視図である。
【図３】図２に示す充電台９００を第２保持部７４０の内側から見た斜視図である。
【図４】充電システムＳについて、携帯電話機１が第２状態Ｕ２で充電台９００に載置された状態を示す斜視図である。
【図５】開状態における携帯電話機１を示す斜視図である。
【図６】閉状態における携帯電話機１を第１面３１側から見た斜視図である。
【図７】閉状態における携帯電話機１を第２面３２側から見た斜視図である。
【図８】閉状態における携帯電話機１を連結部４側から見た図である。
【図９】携帯電話機１の機能を示す機能ブロック図である。
【図１０】携帯電話機１が載置されていない充電台９００を示す斜視図である。
【図１１】充電台９００における回路構成を説明する回路図である。
【図１２】（Ａ）から（Ｃ）は、携帯電話機１が第１状態Ｕ１で充電台９００に載置される過程を示す図であり、検出端子７０５及び第１供給端子７１０に着目した図である。
【図１３】（Ａ）から（Ｃ）は、携帯電話機１が第１状態Ｕ１で充電台９００に載置される過程を示す図であり、第２供給端子７２０に着目した図である。
【図１４】（Ａ）から（Ｃ）は、携帯電話機１が第２状態Ｕ２で充電台９００に載置される過程を示す図であり、検出端子７０５及び第１供給端子７１０に着目した図である。
【図１５】（Ａ）から（Ｃ）は、携帯電話機１が第２状態Ｕ２で充電台９００に載置される過程を示す図であり、第２供給端子７２０に着目した図である。
【図１６】第１状態Ｕ１で携帯電子機器１が充電台９００に装着される場合における、充電台９００における検出端子７０５、第１供給端子７１０及び第２供給端子７２０の出力信号を示す電圧波形図である。
【図１７】第２状態Ｕ２で携帯電子機器１が充電台９００に装着される場合における、充電台９００における検出端子７０５、第１供給端子７１０及び第２供給端子７２０の出力信号を示す電圧波形図である。
【図１８】携帯電話機１が第１状態Ｕ１で充電台９００に装着される場合における充電方法のフローを示すフローチャートである。
【図１９】携帯電話機１が第２状態Ｕ２で充電台９００に装着される場合における充電方法のフローを示すフローチャートである。
【発明を実施するための形態】
【００１６】
以下、図面を参照して、本発明を実施するための実施形態を説明する。
まず、図１から図４により、本実施形態の充電システムＳについて説明する。
図１は、本実施形態の充電システムＳについて、携帯電話機１が第１状態Ｕ１で充電台９００に装着された状態を示す斜視図である。図２は、携帯電話機１が充電台９００に装着される過程の途中を示す斜視図である。図３は、図２に示す充電台９００を第２保持部７４０の内側から見た斜視図である。図４は、充電システムＳについて、携帯電話機１が第２状態Ｕ２で充電台９００に載置された状態を示す斜視図である。
【００１７】
図１から図３に示すように、本実施形態の充電システムＳは、携帯電子機器としての携帯電話機１と、携帯電話機１における充電池４６ａ（図９参照）に充電を行う充電台９００とを備える。充電台９００は、携帯電話機１を載置可能に構成される。詳細には、充電台９００は、携帯電話機１を装着可能な載置部７００を備えており、載置部７００に携帯電話機１を装着（載置）することができる。
【００１８】
ここで、本実施形態の充電システムＳにおいては、充電台９００の長手方向を「長手方向Ｘ」といい、充電台９００への携帯電話機１の装着方向を「装着方向Ｚ」という。装着方向Ｚは、携帯電話機１の厚さ方向に沿う方向である。また、充電台９００の載置部７００に携帯電話機１が装着されている状態において、携帯電話機１の長手方向は、充電台の長手方向Ｘと一致する。従って、携帯電話機１の長手方向を「長手方向Ｘ」という。
【００１９】
また、図２に示すように、携帯電話機１は、充電池４６ａ（図９参照）に充電をする際の被接触端子として機能する充電端子５０及び基準電位端子５１を有する。充電端子５０及び基準電位端子５１は、携帯電話機の長手方向ＸにおけるＸ２側の端面に設けられる。
【００２０】
図１及び図２に示すように、携帯電話機１は、携帯電話機１の閉状態において、後述する表示部側筐体３の背面としての第２面３２（操作キー群等とは反対の面であって、折り畳んだ状態において外面側に配置される面）が載置部７００側を向いて装着される。このような第２面３２が載置部７００側を向いて携帯電話機１が充電台９００に装着される状態を「第１状態Ｕ１」という。
【００２１】
また、図４に示すように、携帯電話機１は、携帯電話機１の閉状態において、後述する表示部側筐体３の表面としての第１面３１（メイン表示部とは反対の面であって、折り畳んだ状態において外面側に配置される面）が載置部７００側を向いて装着される。第１面３１は、第２面とは反対側の面である。第１面３１が載置部７００側を向いて携帯電話機１が充電台９００に装着される状態を「第２状態Ｕ２」という。第２状態Ｕ２は、携帯電子機器１の第１面３１が充電台９００側に配置される点において、第１状態Ｕ１とは異なる。
【００２２】
また、図３に示すように、充電台９００は、充電端子５０に接続される検出端子７０５及び第１供給端子７１０と、基準電位端子５１に接続される第２供給端子７２０とを有する。
【００２３】
図１から図３により、携帯電話機１を第１状態Ｕ１で充電台９００に装着する場合について説明する。
図１から図３に示すように、検出端子７０５及び第１供給端子７１０は、携帯電話機１の充電端子５０に接続される。第２供給端子７２０は、携帯電話機１の基準電位端子５１に接続される。このようにして、携帯電話機１は、第１状態Ｕ１で充電台９００に装着される。
【００２４】
図２から図４により、携帯電話機１を第２状態Ｕ２で充電台９００に装着する場合について説明する。
図２から図４に示すように、検出端子７０５及び第１供給端子７１０は、携帯電話機１の基準電位端子５１に接続される。第２供給端子７２０は、携帯電話機１の充電端子５０に接続される。このようにして、携帯電話機１は、第２状態Ｕ２で充電台９００に装着される。
【００２５】
次いで、図５から図８により、携帯電話機１について更に説明する。
図５は、開状態における携帯電話機１を示す斜視図である。図６は、閉状態における携帯電話機１を第１面３１側から見た斜視図である。図７は、閉状態における携帯電話機１を第２面３２側から見た斜視図である。図８は、閉状態における携帯電話機１を連結部４側から見た図である。
【００２６】
図５に示すように、携帯電話機１は、筐体としての操作部側筐体２と、表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことで開閉状態を形成可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態をいい、開状態とは、両筐体が互いに重ならないように配置された状態をいう。
【００２７】
図６及び図７に示すように、携帯電話機１は、携帯電話機１の閉状態において、表示部側筐体３の表面としての第１面３１と、表示部側筐体３の背面としての第２面３２とを有する。第２面３２は、第１面３１とは反対側の面である。
【００２８】
図５から図８に示すように、操作部側筐体２は、その外面がフロントケース２ａと第２面３２を有するリアケース２ｂとにより構成される。操作部側筐体２は、フロントケース２ａ側に、操作キー群１１と、携帯電話機１の使用者が通話時に発した音声が入力されるマイクとしての音声入力部１２とが、それぞれ露出するように構成される。また、操作部側筐体２は、リアケース２ｂ側に、カメラユニット２３と、第１サブ表示部３０と、音声出力部としてのスピーカ２４とを備える。
【００２９】
操作キー群１１は、各種設定や電話帳機能やメール機能等の各種機能を作動させるための第１キー操作部としての機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００３０】
音声入力部１２は、操作部側筐体２の長手方向における連結部４側とは反対の外端部（下端部）側に配置される。つまり、音声入力部１２は、携帯電話機１が開状態において一方の外端部側に配置される。音声入力部１２は、携帯電話機１の使用者が通話時に発した音声を入力するために用いられる。
【００３１】
操作部側筐体２における一方側の側面には、外部機器（例えば、ホスト装置）と通信を行うためのインターフェース（図示せず）が配置される。インターフェースは、不使用時にはキャップ１９により覆われる。操作部側筐体２の他方側の側面には、所定の機能が割り当てられているサイドキーと、外部メモリの挿入及び取り出しが行われるインターフェース（図示せず）とが配置される。
【００３２】
カメラユニット２３は、カメラ部２３ａと、発光部２３ｂとを備える。カメラ部２３ａは、被写体を撮影し、画像情報を取得するために用いられる。発光部２３ｂは、カメラ部２３ａにより撮影される被写体に光を照射する。カメラユニット２３は、操作部側筐体２における操作キー群１１と反対側に配置される。カメラユニット２３は、携帯電話機１が第１状態Ｕ１で充電台９００に載置された場合には、載置部７００側を向いて配置される。
【００３３】
第１サブ表示部３０は、操作部側筐体２における操作キー群１１と反対側に配置される。第１サブ表示部３０は、携帯電話機１が第１状態Ｕ１で充電台９００に載置された場合には、載置部７００側を向いて配置される。つまり、携帯電子機器１が第１状態Ｕ１で充電台９００に装着された場合には、第１サブ表示部３０は充電台９００に覆われている。
また、第１サブ表示部３０は、携帯電話機１が第２状態Ｕ２で充電台９００に載置された場合には、載置部７００側と反対側を向いて配置される。つまり、携帯電子機器１が第２状態Ｕ２で充電台９００に装着された場合には、第１サブ表示部３０は充電台９００に覆われていない。
【００３４】
スピーカ２４は、操作部側筐体２における操作キー群１１と反対側に配置される。スピーカ２４は、携帯電話機１が第１状態Ｕ１で充電台９００に載置された場合には、載置部７００側を向いて配置される。スピーカ２４は、携帯電話機１への電話の着信やメールの受信等をユーザに報知するための音声を出力する。
【００３５】
図８に示すように、携帯電話機１の閉状態において、携帯電話機１の長手方向ＸにおけるＸ２側の端面には、充電台９００からの充電を可能とする外部に露出される被接触端子として機能する充電端子５０と、充電端子５０と対をなす基準電位端子５１とが配置される。携帯電話機１の長手方向ＸにおけるＸ２側の端面とは、携帯電話機１の長手方向ＸにおけるＸ２側の端部において、第２面３２と第１面３１とをつなぐように、第２面３２と第１面３１とに対して略直交するように形成される面である。
【００３６】
充電端子５０及び基準電位端子５１は、携帯電話機１の長手方向ＸにおけるＸ２側端面において、携帯電話機１の長手方向Ｘ及び装着方向Ｚに対して交差する方向に並んで配置される。また、充電端子５０及び基準電位端子５１は、携帯電話機１の長手方向ＸにおけるＸ２側端面において、携帯電話機１の長手方向Ｘ及び装着方向Ｚに対して交差する方向における両端部近傍に離れて配置される。充電端子５０及び基準電位端子５１それぞれは、携帯電話機１の長手方向ＸにおけるＸ２側の端面において、携帯電話機１の閉状態における厚みの半分の位置に配置される。
【００３７】
充電端子５０は、充電端子５０に何も接続されていない場合には、出力電圧Ｖ２を出力する。基準電位端子５１の電位は、携帯電話機１の基準電位としての電位Ｇ０である。
【００３８】
図６に示すように、表示部側筐体３は、その外面が、第２面３２を構成するフロントケース３ａと、第１面３１を構成するリアケース３ｂとにより構成される。表示部側筐体３におけるフロントケース３ａには、各種情報を表示するためのメイン表示部２１と、通話の相手側の音声を出力するレシーバとしての音声出力部２２とが、それぞれ露出して配置される。ここで、メイン表示部２１は、液晶パネル、この液晶パネルを駆動する駆動回路、この液晶パネルの背面側から光を照射するバックライト等の光源部などから構成される。
【００３９】
また、表示部側筐体３は、リアケース３ｂ側に、第２サブ表示部２６を備える。第２サブ表示部２６は、表示部側筐体３における第１面３１側に配置される。第２サブ表示部２６は、携帯電話機１が第２状態Ｕ２で充電台９００に載置された場合には、載置部７００側を向いて配置される。
【００４０】
続けて、図９を参照しながら、携帯電話機１の機能について説明する。
図９は、携帯電話機１の機能を示す機能ブロック図である。
図９に示すように、携帯電話機１は、操作部１０１と、音声入力部１２と、アンテナ部４０と、通信処理部４１と、第１ＬＣＤ制御部４２と、音声処理部４３と、メモリ４４と、ＣＰＵ４５と、カメラユニット２３と、第１サブ表示部３０と、第２ＬＣＤ制御部３３と、第３ＬＥＤ制御部４８と、ドライバＩＣ３４と、電源部４６と、制御ＩＣ４７と、スピーカ２４と、検出器４９と、充電端子５０と、基準電位端子５１と、を操作部側筐体２に備え、メイン表示部２１と、音声出力部２２と、ドライバＩＣ２５と、第２サブ表示部２６と、ドライバＩＣ２７と、を表示部側筐体３に備えている。
【００４１】
アンテナ部４０は、所定の使用周波数帯（例えば、８００ＭＨｚ）で外部装置と通信を行う。また、アンテナ部４０は、所定の使用周波数帯の他に、他の使用周波数帯（例えば、２ＧＨｚ）に対応できるいわゆるデュアルバンド対応型による構成であってもよい。
【００４２】
通信処理部４１は、アンテナ部４０によって受信した信号を復調処理し、処理後の信号をＣＰＵ４５に供給すると共に、ＣＰＵ４５から供給された信号を変調処理し、アンテナ部４０を介して外部装置（基地局）に送信するよう構成される。
【００４３】
ＣＰＵ４５は、携帯電話機１の全体を制御する。また、ＣＰＵ４５は、機能部としての音声制御部２２０と、表示制御部２３０と、有する。
【００４４】
第１ＬＣＤ制御部４２、第２ＬＣＤ制御部３３、第３ＬＣＤ制御部４８それぞれは、ＣＰＵ４５の制御にしたがって、入力された画像データに対して所定の画像処理を行うと共に、画像処理された画像データをドライバＩＣ２５、ドライバＩＣ３４、ドライバＩＣ２７それぞれに出力する。ドライバＩＣ２５、ドライバＩＣ３４、ドライバＩＣ２７それぞれは、第１ＬＣＤ制御部４２、第２ＬＣＤ制御部３３、第３ＬＣＤ制御部４８それぞれから入力された画像データをフレームメモリに蓄えると共に、該フレームメモリに蓄えられた画像データを所定のタイミングでメイン表示部２１、第１サブ表示部３０、第２サブ表示部２６それぞれに出力する。メイン表示部２１、第１サブ表示部３０、第２サブ表示部２６それぞれは、ドライバＩＣ２５、ドライバＩＣ３４、ドライバＩＣ２７それぞれから入力された画像データに基づいて、所定の画像を表示する。
【００４５】
第１サブ表示部３０及び第２サブ表示部２６には、所定の画像が表示される。第１サブ表示部３０及び第２サブ表示部２６には、例えば、時刻情報や、メイン表示部２１に表示される画像の一部を表示させることができる。
携帯電話機１が充電台９００に載置された状態において、表示制御部２３０の制御により表示画像を表示させたり又は表示させない制御や、第１サブ表示部３０及び第２サブ表示部２６に表示される表示画像を表示制御部２３０により上下及び／又は左右反転処理させることができる。
【００４６】
具体的には、表示制御部２３０は、第１サブ表示部３０の表示動作を制御できる。例えば、表示制御部２３０は、検出部６０が第１状態Ｕ１を検出した場合には、第１サブ表示部３０の表示動作を停止し、検出部６０が第２状態Ｕ２を検出した場合には、第１サブ表示部３０の表示動作を実行するように制御することができる。
【００４７】
メモリ４４には、所定のデータが格納されている。具体的には、メモリ４４には、各種機能プログラムや通信時に利用されるアドレス情報等が記憶される。
【００４８】
音声処理部４３は、ＣＰＵ４５の制御にしたがって、通信処理部４１から供給された信号に対して所定の音声処理を行うと共に、音声処理された信号を音声出力部２２やスピーカ２４に出力する。音声出力部２２及びスピーカ２４は、音声処理部４３から供給された信号に基づいて外部に放音（出力）する。また、音声処理部４３は、ＣＰＵ４５の制御にしたがって、音声入力部１２から入力された信号に対して所定の処理をすると共に、処理された信号を通信処理部４１に出力する。通信処理部４１は、音声処理部４３から入力された信号に所定の処理を行うと共に、処理された信号をアンテナ部４０に出力する。
【００４９】
携帯電話機１の充電台９００への装着方向Ｚの検出結果に基づいて、ＣＰＵ４５の音声制御部２２０は、スピーカ２４の音量を制御する。
【００５０】
例えば、スピーカ２４からの音声が充電台９００に妨げられることから、聞こえにくい場合があるので、音声制御部２２０は、検出部６０が第１状態Ｕ１を検出した後のスピーカ２４の音量の大きさを、検出部６０が第２状態Ｕ２を検出した後のスピーカ２４の音量よりも大きくするように制御することができる。
【００５１】
電源部４６は、充電池４６ａを有して構成される。充電池４６ａは、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００５２】
検出器４９は、充電端子５０と基準電位端子５１との間に接続される。
検出器４９は、後述する充電台９００から送信される信号から、携帯電話機１の充電台９００への装着方向Ｚを検出する。検出器４９で検出された結果に基づき、携帯電話機１の充電台９００への装着方向Ｚに関する信号をＣＰＵ４５へ出力する。
【００５３】
カメラユニット２３は、上述の通り、カメラ部２３ａと、発光部２３ｂとを備える。
カメラ部２３ａは、ＣＣＤ（Ｃｈａｒｇｅ  Ｃｏｕｐｌｅｄ  Ｄｅｖｉｃｅ）デバイスにより構成されるＣＣＤ１２４と、を有する。
ＣＣＤ１２４は、不図示のレンズにより結像された被写体の画像を画像情報として取り込む。ＣＣＤ１２４により撮像された画像は、メイン表示部２１や第１サブ表示部３０に表示させることが可能である。また、ＣＣＤ１２４により撮像された画像の画像情報は、メモリ４４に保存可能である。
【００５４】
ＣＣＤ１２４には、レンズを介して外部からの光が導かれる。
発光部２３ｂは、所定のタイミングで発光する。発光部２３ｂは、例えば、被写体を撮像するタイミングで発光するよう制御される。
【００５５】
図３及び図１０により、充電台９００について説明する。
図１０は、携帯電話機１が載置されていない充電台９００を示す斜視図である。
図１０に示すように、充電台９００は、充電台９００の外形を構成する筐体８００を有する。筐体８００の外面における上面側には、携帯電話機１が載置可能な載置部７００が形成される。載置部７００に載置された状態における携帯電話機１は、コネクタ９９０に接続される不図示の充電用コードを介して供給される電力により充電される。
【００５６】
載置部７００は、底面部７０１と、筐体８００における長手方向Ｘの一端側であるＸ１側に形成される第１保持部７３０と、長手方向Ｘの他端側であるＸ２側に形成される第２保持部７４０とを有して構成される。
【００５７】
第１保持部７３０は、載置部７００の長手方向ＸにおけるＸ１側に底面部７０１から立ち上がるように形成される壁状の部分である。第１保持部７３０における載置部７００側の側面は、携帯電話機１の外形に合わせた形状であるＵ字状に形成される。そして、第１保持部７３０の上部には、載置部７００の長手方向ＸにおけるＸ２側に突出する係合部７３０ａが配設される。
【００５８】
この係合部７３０ａは、載置部７００に携帯電話機１が第１状態Ｕ１で載置された場合、操作部側筐体２の長手方向Ｘ１側端部における操作キー群１１（図１０参照）が配置される内面が当接されて、載置部７００に載置された携帯電話機１の長手方向Ｘ１側端部を支持するように形成されている。
【００５９】
また、この係合部７３０ａは、載置部７００に携帯電話機１が第２状態Ｕ２で載置された場合、表示部側筐体３の長手方向Ｘ１側端部におけるメイン表示部２１（図１０参照）が配置される内面が当接されて、載置部７００に載置された携帯電話機１の長手方向Ｘ１側端部を支持するように形成されている。
【００６０】
第２保持部７４０は、載置部７００の長手方向ＸにおけるＸ２側に底面部７０１から立ち上がるように形成される壁状の部分である。第２保持部７４０は、第１保持部７３０と対向して配置される。
【００６１】
図３に示すように、第２保持部７４０における載置部７００側の側面には、検出端子開口７０６と、第１供給端子開口７１１と、第２供給端子開口７２１とが形成される。検出端子開口７０６は、筐体８００の内部に配設される検出端子７０５が突出可能に形成される。第１供給端子開口７１１は、筐体８００の内部に配設される第１供給端子７１０が突出可能に形成される。第２供給端子開口７２１は、筐体８００の内部に配設される第２供給端子７２０が突出可能に形成される。
【００６２】
検出端子７０５は、筐体８００内に配設される付勢部材（図示せず）により検出端子開口７０６から第２保持部７４０の外部であって載置部７００の長手方向ＸにおけるＸ１側へ突出する方向へ付勢されている。第１供給端子７１０は、筐体８００内に配設される付勢部材（図示せず）により第１供給端子開口７１１から第２保持部７４０の外部であって載置部７００の長手方向ＸにおけるＸ１側へ突出する方向へ付勢されている。第２供給端子７２０は、筐体８００内に配設される付勢部材（図示せず）により第２供給端子開口７２１から第２保持部７４０の外部であって載置部７００の長手方向ＸにおけるＸ１側へ突出する方向へ付勢されている。
【００６３】
検出端子７０５、第１供給端子７１０及び第２供給端子７２０は、前記付勢部材による付勢力によって、第２保持部７４０から突出した部分が携帯電話機１の長手方向ＸにおけるＸ２側の端部の側面に当接する。携帯電話機１は、携帯電話機１の長手方向ＸにおけるＸ２側の端部の側面側から検出端子５０５、第１供給端子７１０及び第２供給端子７２０に押圧されて、第１保持部７３０と、検出端子５０５、第１供給端子７１０及び第２供給端子７２０との間に保持される。
【００６４】
検出端子７０５、第１供給端子７１０及び第２供給端子７２０は、第２保持部７４０の載置部７００側の側面に配置される。検出端子７０５及び第１供給端子７１０は、第２保持部７４０における携帯電話機１の充電台９００への装着方向Ｚに交差する方向の一方の端部側に配置される。第２供給端子７２０は、第２保持部７４０における携帯電話機１の充電台９００への装着方向Ｚに交差する方向の他方の端部側に配置される。
【００６５】
検出端子７０５と第１供給端子７１０とは、第２保持部７４０の載置部７００側の側面における携帯電話機１の充電台９００への装着方向Ｚにおいて並んで配置される。検出端子７０５と第１供給端子７１０とは、第２保持部における載置部７００の底面部７０１と第２保持部７４０の上端部との間に互いに離間して配置される。第１供給端子７１０は、検出端子７０５よりも底面部７０１側に配置される。
【００６６】
第１供給端子７１０と第２供給端子７２０とは、第２保持部７４０の載置部７００側の側面における携帯電話機１の充電台９００の装着方向Ｚに対して交差する方向において並んで配置される。第１供給端子７１０と第２供給端子７２０とは、第２保持部７４０の載置部７００側の側面における携帯電話機１の充電台９００の装着方向Ｚに対して交差する方向において両端部に配置される。
【００６７】
続けて、図１１により、充電台９００の回路構成について説明する。
図１１は、充電台９００における回路構成を説明する回路図である。
図１１に示すように、充電台９００は、検出端子７０５と、第１供給端子７１０と、第２供給端子７２０と、抵抗Ｒ１と、抵抗Ｒ２と、検出部６０と、スイッチ部６１と、充電回路部６７と、コネクタ９９０と、を備える。
【００６８】
検出端子７０５は、電圧信号の入力端子としての機能を有する。第１供給端子７１０及び第２供給端子７２０は、電圧信号の入出力端子としての機能を有する。
【００６９】
検出端子７０５と所定電位Ｖ１との間には、抵抗Ｒ１が接続される。抵抗Ｒ１は、プルアップした信号を所定電位Ｖ１に保持するプルアップ抵抗として機能する。検出端子７０５は、抵抗Ｒ１により、検出端子７０５の外部に何も接続されていない場合には、所定電位Ｖ１を保持して所定電圧Ｖ１を出力する。所定電位Ｖ１は、携帯電話機１の充電端子５０に何も接続されていない場合に充電端子５０から出力される出力電圧Ｖ２と比べて低い電圧である。
【００７０】
第１供給端子７１０及び第２供給端子７２０それぞれには、充電台９００の基準電位Ｇとの間に、それぞれに対応する抵抗Ｒ２、抵抗Ｒ３が接続される。抵抗Ｒ２及び抵抗Ｒ３は、信号を基準電位Ｇに保持するプルダウン抵抗として機能する。そして、抵抗Ｒ２、抵抗Ｒ３それぞれは、第１供給端子７１０の外部に何も接続されていない場合に、対応する第１供給端子７１０、第２供給端子７２０それぞれの電位を基準電位Ｇに保持する。
【００７１】
検出部６０には、検出端子７０５、第１供給端子７１０及び第２供給端子７２０が接続される。検出部６０には、検出端子７０５、第１供給端子７１０及び第２供給端子７２０から信号が入力される。
【００７２】
検出部６０は、検出端子７０５、第１供給端子７１０及び第２供給端子７２０から入力されるそれぞれの信号の論理により、検出結果を出力する。例えば、検出結果として、電圧レベルが、正論理信号のＨｉｇｈレベルの信号又は負論理信号のＬｏｗレベルの信号を出力する。
【００７３】
スイッチ部６１は、検出部６０の検出結果に基づいて、スイッチを切り替える。スイッチ部６１は、第１スイッチ部６２と、第２スイッチ部６３と、ＮＯＴ回路６４と、を有する。
【００７４】
第１スイッチ部６２の一端子は、充電回路部６７に接続される固定端子６２ａに接続されている。第１スイッチ部６２の他端子は、第１スイッチ部６２の切り替え操作により、選択端子６２ｂ又は選択端子６２ｃに接続されている。選択端子６２ｂは、第１供給端子７１０に接続されている。選択端子６２ｃは、第２供給端子７２０に接続されている。即ち、第１スイッチ部６２の切り替え操作により、充電回路部６７は、第１供給端子７１０又は第２供給端子７２０に接続される。
【００７５】
また、第２スイッチ部６３の一端子は、基準電位Ｇに接続される固定端子６３ａに接続されている。第２スイッチ部６３の他端子は、第２スイッチ部６３の切り替え操作により、選択端子６３ｂ又は選択端子６３ｃに接続されている。選択端子６３ｂは、第１供給端子７１０に接続されている。選択端子６３ｃは、第２供給端子７２０に接続されている。即ち、第２スイッチ部６３の切り替え操作により、基準電位Ｇは、第１供給端子７１０又は第２供給端子７２０に接続される。
【００７６】
ＮＯＴ回路６４は、入力された信号を反転させる。具体的には、正論理信号のＨｉｇｈレベルの電圧レベルの信号が入力された場合には、負論理信号のＬｏｗレベルの電圧レベルの信号を出力する。また、負論理信号のＬｏｗレベルの電圧レベルの信号が入力された場合には、正論理信号のＨｉｇｈレベルの電圧レベルの信号を出力する。
【００７７】
例えば、第１スイッチ部６２は、検出部６０による検出結果に基づいて出力された正論理信号のＨｉｇｈレベルが入力された場合には、選択端子６２ｂ側へ接続される。この場合、第２スイッチ部６３は、ＮＯＴ回路６４により反転されたＬｏｗレベルの信号が入力されて選択端子６３ｃ側へ接続される。その結果、第１供給端子７１０には、充電回路部６７が接続される。第２供給端子７２０には、基準電位Ｇが接続される。
【００７８】
また、例えば、第１スイッチ部６２は、検出部６０による検出結果に基づいて出力された負論理信号のＬｏｗレベルが入力された場合には、選択端子６２ｃ側へ接続される。この場合、第２スイッチ部６３は、ＮＯＴ回路６４により反転されたＨｉｇｈレベルの信号が入力されて選択端子６３ｂ側へ接続される。その結果、第１供給端子７１０には、基準電位Ｇが接続される。第２供給端子７２０には、充電回路部６７が接続される。
【００７９】
充電回路部６７は、電力供給部６８と、判定制御部６５と、信号発生回路部６６と、を有する。電力供給部６８は、所定の電力を第１供給端子７１０側又は第２供給端子７２０側に出力する。充電回路部６７は、外部の電力を入力可能なコネクタ９９０に接続される。充電回路部６７は、コネクタ９９０により不図示の充電用コードを介して供給される電力を所定値に調整すると共に出力タイミングを制御して、電力供給部６８から携帯電話機１に電力を出力する。
【００８０】
判定制御部６５には、検出部６０から出力された信号が入力される。判定制御部６５は、信号発生回路部６６及び電力供給部６８に信号を出力する。判定制御部６５は、検出部６０から出力された信号に基づいて、信号発生回路部６６及び電力供給部６８から出力される出力信号を制御する。
具体的には、例えば、判定制御部６５に負論理信号のＬｏｗレベル信号が入力された場合には、スイッチ部６１には、Ｌｏｗレベル信号が入力されている。第１スイッチ部６２は、選択端子６２ｃ側に接続され、第２スイッチ部６３は、選択端子６３ｃ側に接続されている。この状態で、先ず、判定制御部６５は、信号発生回路部６６からパルス波形信号Ｐを所定時間出力するように制御する。そして、所定時間経過後、判定制御部６５は、充電回路部６７から所定の電力が供給されるように制御する。
また、これには限定されず、判定制御部６５は、信号発生回路部６６及び電力供給部６８から出力される電圧のタイミングを制御することができる。
【００８１】
続けて、図９、図１１から図１７により、充電システムＳにおける作用について、充電台９００の検出端子７０５、第１供給端子７１０及び第２供給端子７２０に発生する電圧値の変化についての電圧波形図の説明を含めながら詳述する。
図１２は、（Ａ）から（Ｃ）は、携帯電話機１が第１状態Ｕ１で充電台９００に載置される過程を示す図であり、検出端子７０５及び第１供給端子に着目した図である。図１３は、（Ａ）から（Ｃ）は、携帯電話機１が第１状態Ｕ１で充電台９００に載置される過程を示す図であり、第２供給端子に着目した図である。図１４は、（Ａ）から（Ｃ）は、携帯電話機１が第２状態Ｕ２で充電台９００に載置される過程を示す図であり、検出端子７０５及び第１供給端子に着目した図である。図１５は、（Ａ）から（Ｃ）は、携帯電話機１が第２状態Ｕ２で充電台９００に載置される過程を示す図であり、第２供給端子に着目した図である。図１６は、第１状態Ｕ１で携帯電子機器１が充電台９００に装着される場合における、充電台９００における検出端子７０５、第１供給端子７１０及び第２供給端子７２０の出力信号を示す電圧波形図である。図１７は、第２状態Ｕ２で携帯電子機器１が充電台９００に装着される場合における、充電台９００における検出端子７０５、第１供給端子７１０及び第２供給端子７２０の出力信号を示す電圧波形図である。
【００８２】
図１２、図１３及び図１６により、携帯電話機１を第１状態Ｕ１で充電台９００に装着する場合について詳述する。
まず、図１２及び図１３に示すように、閉じた状態における携帯電話機１の長手方向Ｘ１側端部が係合部７３０ａの内側に配置されるように、携帯電話機１を斜めに傾けて長手方向Ｘ１側端部を第１保持部の内面に当接させる。その後、長手方向Ｘ１側端部を第１保持部の内面に当接させながら、第２面３２（操作部側筐体２の操作ボタン群が配置される面とは反対の面）が載置部７００に近づくように携帯電話機１を移動させる。
【００８３】
携帯電話機１を充電台９００に装着する過程において、まず、携帯電話機１における充電端子５０は、充電台９００の検出端子７０５に接触する。充電端子５０は、検出端子７０５に電気的に接続される。なお、充電端子５０及び基準電位端子５１は、第１供給端子７１０及び第２供給端子７２０とは、接触しない。
【００８４】
図１６により、この状態における、充電台９００の検出端子７０５、第１供給端子７１０及び第２供給端子に発生する電圧変化について電圧波形図を用いて説明する。
図１６に示すように、タイミングＴ１１は、充電端子５０が検出端子７０５に電気的に接続されるタイミングである。タイミングＴ１１における検出端子７０５、第１供給端子７１０及び第２供給端子７２０の電圧値について説明する。
検出端子７０５の電圧は、充電端子５０と検出端子７０５とが接続されることにより、所定電位Ｖ１から充電端子５０の出力電圧Ｖ２に変位する。第１供給端子７１０及び第２供給端子７２０は、充電端子５０及び基準電位端子５１が接触していないので、基準電位Ｇのまま保持される。検出端子７０５の電圧Ｖ２は、検出部６０に入力される（図１１参照）。
【００８５】
続けて、携帯電話機１を装着方向Ｚへ移動させる。
この状態においては、携帯電話機１は、携帯電話機１の長手方向ＸにおけるＸ２側の端部の側面側から検出端子５０５、第１供給端子７１０及び第２供給端子７２０に押圧されて、第１保持部７３０と、検出端子５０５、第１供給端子７１０及び第２供給端子７２０との間に保持される。このように、携帯電話機１は、充電台９００に装着される。
【００８６】
このように、検出端子７０５は、携帯電話機１が充電台９００に装着される過程において、第１供給端子７１０及び第２供給端子７２０よりも先に充電端子５０に接続される。第１供給端子７１０は、充電端子５０が検出端子７０５に接続された後に、充電端子５０に接続される。第２供給端子７２０は、充電端子５０が検出端子７０５に接続された後に、基準電位端子５１に接続される。
【００８７】
図１２及び図１３に示すように、携帯電話機１が第１状態Ｕ１で充電台９００に装着された場合には、検出端子７０５及び第１供給端子７１０は、充電端子５０に対向して配置され、付勢部材の付勢力により充電端子５０に接触する。また、第２供給端子７２０は、基準電位端子５１に対向して配置され、付勢部材の付勢力により基準電位端子５１に接触する。この場合、充電端子５０は、検出端子７０５及び第１供給端子７１０に電気的に接続される。基準電位端子５１は、第２供給端子７２０に電気的に接続される。
【００８８】
続けて、図１６により携帯電話機１が第１状態Ｕ１で充電台９００に装着される過程における電圧を電圧波形図を用いて説明する。
図１６に示すように、タイミングＴ１２は、充電端子５０が検出端子７０５及び第１供給端子７１０に電気的に接続され、かつ、基準電位端子５１が第２供給端子７２０に電気的に接続されるタイミングである。タイミングＴ１２における検出端子７０５、第１供給端子７１０及び第２供給端子７２０の電圧値について説明する。
【００８９】
検出端子７０５の電圧は、タイミングＴ１１における充電端子５０に接続される状態が保持されているので、電圧Ｖ１で保持される。第１供給端子７１０の電圧は、充電端子５０と第１供給端子７１０とが接続されることにより、基準電位Ｇから充電端子５０の出力電圧Ｖ２に変位する。第２供給端子７２０の電圧は、基準電位端子５１と基準電位Ｇとが接続されるので、基準電位Ｇのまま保持される。検出端子７０５の電圧Ｖ２、第１供給端子７１０の電圧Ｖ２及び第２供給端子７２０の基準電位Ｇは、検出部６０に入力される（図１１参照）。
【００９０】
検出部６０は、第１供給端子７１０の電圧値が基準電位Ｇから電圧Ｖ２に変位する状態変化を条件に論理計算を行う。
検出部６０は、検出端子７０５、第１供給端子７１０及び第２供給端子７２０から入力される信号に基づいて論理計算を行い、所定の電圧を出力する。具体的には、検出部６０は、検出部６０に入力された検出端子７０５の電圧Ｖ２、第１供給端子７１０の電圧Ｖ２及び第２供給端子７２０の基準電位Ｇにより、論理計算を行い、例えば、検出部６０の検出結果として、電圧レベルが、正論理信号のＨｉｇｈレベルの信号を出力する。検出部６０から出力された電圧信号（Ｈｉｇｈレベル電圧信号）は、スイッチ部６１及び判定制御部６５に入力される。
【００９１】
スイッチ部６１は、検出部６０から入力された電圧信号（Ｈｉｇｈレベル電圧信号）により、第１スイッチ部６２及び第２スイッチ部６３のスイッチを制御する。具体的には、第１スイッチ部６２は、検出部６０による検出結果により、正論理信号のＨｉｇｈレベルの電圧信号が入力されているので、選択端子６２ｂ側へ接続される。第２スイッチ部６３は、負論理信号のＬｏｗレベルの電圧信号が入力されているので、選択端子６３ｃ側へ接続される。そのため、第１供給端子７１０には、充電回路部６７が接続される。第２供給端子７２０には、基準電位Ｇが接続される。
【００９２】
また、判定制御部６５は、検出部６０から入力された電圧信号（Ｈｉｇｈレベル電圧信号）により、信号発生回路部６６及び電力供給部６８を制御する。具体的には、判定制御部６５は、正論理信号のＨｉｇｈレベルの電圧信号が入力されているので、信号発生回路部６６から信号電圧を発生させないように制御する。判定制御部６５は、電力供給部６８から電圧Ｖ３を出力するように制御する。判定制御部６５は、電力供給部６８から電圧Ｖ３を出力するタイミングＴ１４を制御する。
【００９３】
図１６に示すように、タイミングＴ１４は、充電回路部６７から電圧Ｖ３を出力するタイミングである。タイミングＴ１２からタイミングＴ１４までの間の時間は、携帯電話機１と充電台９００との接続状態が確保されるための時間である。
【００９４】
タイミングＴ１４における検出端子７０５、第１供給端子７１０及び第２供給端子７２０の電圧値について説明する。
検出端子７０５及び第１供給端子７１０は、第１供給端子７１０には、充電回路部６７が接続されているので、充電回路部６７から出力される電圧Ｖ３に変位する。第２供給端子７２０には、基準電位Ｇのまま保持される。
【００９５】
このように、充電台９００における検出端子７０５及び第１供給端子７１０からは、充電台９００における充電回路部６７の電力供給部６８から出力される電力が出力される。
【００９６】
携帯電話機１における充電端子５０には、検出端子７０５及び第１供給端子７１０が接続され、基準電位端子５１には、第２供給端子７２０が接続されている。そのため、充電台９００における第１供給端子７１０から出力される電力は、充電端子５０及び基準電位端子５１を介して携帯電話機１における充電池４６ａに供給される（図９参照）。
【００９７】
図９に示すように、検出器４９には、充電台９００における第１供給端子７１０から出力される電圧が、充電端子５０及び基準電位端子５１を介して入力される。
検出器４９は、充電台９００から送信される電圧から、携帯電話機１の充電台９００への装着方向Ｚを検出する。検出器４９で検出された結果に基づき、携帯電話機１の充電台９００への装着方向に関する信号をＣＰＵ４５へ出力する。具体的には、検出器４９の電圧値は、タイミングＴ１３における電圧値が電圧Ｖ３であり、その後、所定時間の保持されていることから、携帯電話機１が第１状態Ｕ１で充電台９００へ装着されていることを検出する。そして、検出器４９は、携帯電話機１が第１状態Ｕ１で充電台９００へ装着されているとの信号をＣＰＵ４５へ出力する（図９参照）。
【００９８】
ＣＰＵ４５には、検出器４９から出力された信号が入力される。そして、ＣＰＵ４５は、検出器４９から出力された信号により、携帯電話機１が第１状態Ｕ１で充電台９００へ装着されていると判断する。
【００９９】
ＣＰＵ４５は、検出器４９から入力された信号に基づき、音声制御部２２０及び表示制御部２３０を制御する。音声制御部２２０は、スピーカ２４を制御する。表示制御部２３０は、第１サブ表示部３０及び第２サブ表示部２６の表示動作を制御する。
【０１００】
本実施形態においては、携帯電話機１におけるスピーカ２４が充電台９００側に配置される第１状態Ｕ１で充電台９００へ装着されている。この状態において、使用者が外部から聞くことができるスピーカ２４からの音声は、スピーカ２４からの音声が充電台９００に妨げられることから、聞こえにくい場合がある。ここで、音声制御部２２０は、検出部６０が第１状態Ｕ１を検出した後のスピーカ２４の音量の大きさを、検出部６０が第２状態Ｕ２を検出した後のスピーカ２４の音量よりも大きくするように制御することができる。例えば、音声制御部２２０は、第１状態Ｕ１で携帯電話機１が充電台９００に装着される場合において、使用者が外部から十分聞こえる程度にスピーカ２４の音声の大きさを調整するように制御することができる。また、音声制御部２２０は、第１状態Ｕ１又は第２状態Ｕ２で携帯電話機１が充電台９００に装着される場合において、使用者が外部から聞くことができるスピーカ２４からの音声の大きさを、第１状態Ｕ１又は第２状態Ｕ２いずれの状態であっても同程度になるように調整することができる。
【０１０１】
また、本実施形態においては、携帯電話機１は、第１状態Ｕ１で携帯電話機１が充電台９００へ装着されている。即ち、第１サブ表示部３０は、充電台９００側に配置され、第２サブ表示部２６が充電台９００側とは反対側において露出されるように配置されている。ここで、表示制御部２３０は、第１サブ表示部３０及び第２サブ表示部２６の表示動作を制御できる。例えば、表示制御部２３０は、第１サブ表示部３０には表示画像が表示されない制御を行い、第２サブ表示部２６には表示画像が表示される制御を行う。
【０１０２】
続けて、図１４、図１５及び図１７により、携帯電話機１を第２状態Ｕ２で充電台９００に装着する場合について詳述する。
携帯電話機１を第２状態Ｕ２で充電台９００に装着する場合、第１面３１が載置部７００側に配置されるように装着させる点以外に第１状態Ｕ１で装着する場合と異なる点がない。従って、携帯電話機１を第２状態Ｕ２で充電台９００に装着させる操作については、一部の説明を省略し、検出端子７０５、第１供給端子７１０及び第２供給端子７２０に発生する電圧値の変化についての説明を中心に詳述する。
【０１０３】
図１４及び図１５に示すように、携帯電話機１を第２状態Ｕ２で充電台９００に装着する過程において、携帯電話機１における基準電位端子５１は、まず、充電台９００の検出端子７０５に接触する。基準電位端子５１は、検出端子７０５に電気的に接続される。なお、充電端子５０及び基準電位端子５１は、第１供給端子７１０及び第２供給端子７２０とは、接触しない。
【０１０４】
携帯電話機１が第２状態Ｕ２で充電台９００に装着された場合には、検出端子７０５及び第１供給端子７１０は、基準電位端子５１に対向して配置され、付勢部材の付勢力により基準電位端子５１に接触する。また、第２供給端子７２０は、充電端子５０に対向して配置され、付勢部材の付勢力により充電端子５０に接触する。
【０１０５】
続けて、図１７により携帯電話機１が第２状態Ｕ２で充電台９００に装着される過程における電圧を電圧波形図を用いて説明する。
図１７に示すように、タイミングＴ２１は、基準電位端子５１が検出端子７０５に電気的に接続されるタイミングである。タイミングＴ２１における検出端子７０５、第１供給端子７１０及び第２供給端子７２０の電圧値について説明する。
検出端子７０５の電圧は、基準電位端子５１と検出端子７０５とが接続されることにより、所定電位Ｖ１から基準電位端子５１の基準電位Ｇ０に変位する。第１供給端子７１０及び第２供給端子７２０は、充電端子５０及び基準電位端子５１が接触していないので、基準電位Ｇのまま保持される。検出端子７０５の電圧Ｇ０は、検出部６０に入力される（図１５参照）。
【０１０６】
続けて、図１４及び図１５に示すように、携帯電話機１を装着方向Ｚへ移動させる。
基準電位端子５１は、検出端子７０５に接触したままの状態で、第１供給端子７１０に接触する。充電端子５０は、第２供給端子７２０に接触する。この場合、基準電位端子５１は、検出端子７０５及び第１供給端子７１０に電気的に接続される。充電端子５０は、第２供給端子７２０に電気的に接続される。
【０１０７】
このように、検出端子７０５は、携帯電話機１が充電台９００に装着される過程において、第１供給端子７１０及び第２供給端子７２０よりも先に基準電位端子５１に接続される。第１供給端子７１０は、基準電位端子５１が検出端子７０５に接続された後に、基準電位端子５１に接続される。第２供給端子７２０は、基準電位端子５１が検出端子７０５に接続された後に、充電端子５０に接続される。
【０１０８】
図１７に示すように、タイミングＴ２２は、基準電位端子５１が検出端子７０５及び第１供給端子７１０に電気的に接続され、かつ、充電端子５０が第２供給端子７２０に電気的に接続されるタイミングである。
タイミングＴ２２における検出端子７０５、第１供給端子７１０及び第２供給端子７２０の電圧値について説明する。
【０１０９】
検出端子７０５の電圧は、タイミングＴ２１における基準電位端子５１に接続される状態が保持されているので、基準電位端子５１における基準電位Ｇ０に保持される。第１供給端子７１０の電圧は、基準電位端子５１と第１供給端子７１０とが接続されるので、基準電位Ｇのまま保持される。第２供給端子７２０の電圧は、充電端子５０と第２供給端子７２０とが接続されるので、基準電位Ｇから電位Ｖ２へ変位する。検出端子７０５の基準電位Ｇ０、第１供給端子７１０の基準電位Ｇ及び第２供給端子７２０の電圧Ｖ２は、検出部６０に入力される（図１１参照）。
【０１１０】
検出部６０は、第２供給端子７２０の電圧値が基準電位Ｇから電圧Ｖ２に変位する状態変化を条件に論理計算を行う。
検出部６０は、検出端子７０５、第１供給端子７１０及び第２供給端子７２０から入力される信号に基づいて論理計算を行い所定の電圧を出力する。具体的には、検出部６０は、検出部６０に入力された検出端子７０５の基準電位Ｇ０、第１供給端子７１０の基準電位Ｇ及び第２供給端子７２０の電圧Ｖ２により、論理計算を行い、例えば、検出部６０の検出結果として、電圧レベルが、負論理信号のＬｏｗレベルの信号を出力する。検出部６０から出力された電圧信号（Ｌｏｗレベル電圧信号）は、スイッチ部６１及び判定制御部６５に入力される。
【０１１１】
スイッチ部６１は、検出部６０から入力された電圧信号（Ｌｏｗレベル電圧信号）により、第１スイッチ部６２及び第２スイッチ部６３のスイッチを制御する。具体的には、第１スイッチ部６２は、検出部６０による検出結果により、負論理信号のＬｏｗレベルの電圧信号が入力されているので、選択端子６２ｃ側へ接続される。第２スイッチ部６３は、負論理信号のＬｏｗレベルの電圧信号が入力されているので、選択端子６３ｂ側へ接続される。そのため、第２供給端子７２０には、充電回路部６７が接続される。第１供給端子７１０には、基準電位Ｇが接続される。
【０１１２】
また、判定制御部６５は、検出部６０から入力された電圧信号（Ｌｏｗレベル電圧信号）により、信号発生回路部６６及び電力供給部６８を制御する。具体的には、判定制御部６５は、負論理信号のＬｏｗレベルの電圧信号が入力されているので、信号発生回路部６６からパルス波形信号Ｐの信号電圧を所定時間の間発生するように制御する。判定制御部６５は、電力供給部６８から電圧Ｖ３を出力するように制御する。判定制御部６５は、判定制御部６５の出力の所定時間経過後に、電力供給部６８から電圧Ｖ３を出力するタイミングＴ２４を制御する。
【０１１３】
図１７に示すように、信号発生回路部６６は、信号発生回路部６６及び電力供給部６８から出力する電圧を出力するタイミングを制御する。タイミングＴ２３は、信号発生回路部６６からパルス波形信号Ｐの信号電圧を出力するタイミングある。タイミングＴ２４は、電力供給部６８から電圧Ｖ３を出力するタイミングである。信号発生回路部６６は、パルス波形信号Ｐの信号電圧を所定時間出力した後に、パルス波形信号Ｐの信号電圧の出力を停止して充電回路部６７から電圧Ｖ３を出力する。
タイミングＴ２２からタイミングＴ２３までの間の時間は、携帯電話機１と充電台９００との接続状態が確保されるための時間である。
【０１１４】
タイミングＴ２３における検出端子７０５、第１供給端子７１０及び第２供給端子７２０の電圧値について説明する。
検出端子７０５及び第１供給端子７１０の電圧は、基準電位Ｇのまま保持される。第２供給端子７２０の電圧は、パルス波形信号Ｐの信号電圧が出力される。
【０１１５】
タイミングＴ２４における検出端子７０５、第１供給端子７１０及び第２供給端子７２０の電圧値について説明する。
検出端子７０５及び第１供給端子７１０の電圧は、基準電位Ｇのまま保持される。第２供給端子７２０の電圧は、第２供給端子７２０には、充電回路部６７が接続されているので、充電回路部６７から出力される電圧Ｖ３に変位する。
【０１１６】
このように、充電台９００における第２供給端子７２０からは、充電台９００における充電回路部６７の電力供給部６８からの電力が出力される。
【０１１７】
図１４及び図１５に示すように、携帯電話機１の第２状態Ｕ２における充電端子５０には、第２供給端子７２０が接続され、基準電位端子５１には、検出端子７０５及び第１供給端子７１０が接続されている。そのため、充電台９００における第２供給端子７２０から出力される電力は、充電端子５０及び基準電位端子５１を介して携帯電話機１における充電池４６ａに供給される（図９参照）。
【０１１８】
また、図１１に示すように、検出器４９には、充電台９００における第１供給端子７１０から出力される電圧が、充電端子５０及び基準電位端子５１を介して入力される。
検出器４９は、充電台９００から出力される電圧から、携帯電話機１の充電台９００への装着方向Ｚを検出する。検出器４９で検出された結果に基づき、携帯電話機１の充電台９００への装着方向Ｚに関する信号をＣＰＵ４５へ出力する。具体的には、検出器４９の電圧値は、タイミングＴ２３からタイミングＴ２４までの間の時間にかけてパルス波形の信号Ｐの信号電圧が出力されている。検出器４９は、このパルス波形信号Ｐの信号電圧が所定時間出力されていることにより、携帯電話機１が第２状態Ｕ２で充電台９００へ装着されていることを検出する。そして、検出器４９は、携帯電話機１が第２状態Ｕ２で充電台９００へ装着されているとの信号をＣＰＵ４５へ出力する。
【０１１９】
ＣＰＵ４５には、検出器４９から出力された信号が入力される。そして、ＣＰＵ４５は、検出器４９から出力された信号により、携帯電話機１が第２状態Ｕ２で充電台９００へ装着されていると判断する。
【０１２０】
ＣＰＵ４５は、検出器４９から入力された信号に基づき、音声制御部２２０及び表示制御部２３０を制御する。音声制御部２２０は、スピーカ２４を制御する。表示制御部２３０は、第１サブ表示部３０及び第２サブ表示部２６の表示動作を制御する。
【０１２１】
本実施形態においては、携帯電話機１におけるスピーカ２４が充電台９００側に配置される第２状態Ｕ２で充電台９００へ装着されている。ここで、音声制御部２２０は、スピーカ２４の音声の大きさを制御できる。例えば、音声制御部２２０は、第１状態Ｕ１又は第２状態Ｕ２で携帯電話機１が充電台９００に装着される場合において、使用者が外部から聞くことができるスピーカ２４からの音声の大きさを、第１状態Ｕ１又は第２状態Ｕ２いずれの状態であっても同程度になるように調整することができる。
【０１２２】
また、本実施形態においては、第２状態Ｕ２で携帯電話機１が充電台９００へ装着されている。即ち、第１サブ表示部３０が充電台９００側とは反対側において露出されるように配置され、第２サブ表示部２６が充電台９００側に配置される。ここで、表示制御部２３０は、第１サブ表示部３０及び第２サブ表示部２６の表示動作を制御できる。例えば、表示制御部２３０は、第１サブ表示部３０には表示画像が表示される制御を行い、第２サブ表示部２６には表示画像が表示されない制御を行う。
【０１２３】
続けて、本実施形態における充電方法について、図１８及び図１９のフローチャートを中心に説明する。
図１８は、携帯電話機１が第１状態Ｕ１で充電台９００に装着される場合における充電方法のフローを示すフローチャートである。図１９は、携帯電話機１が第２状態Ｕ２で充電台９００に装着される場合における充電方法のフローを示すフローチャートである。本実施形態における充電方法は、前述の充電システムＳを用いた充電方法であるので、本実施形態における充電方法を行う前提となる構成の説明については省略する。
【０１２４】
図１８により、携帯電話機１が第１状態Ｕ１で充電台９００に装着される場合における充電方法について説明する。
図１８に示すように、ステップＳＴ１１において、検出端子７０５が充電端子５０に接続されると、充電端子５０の出力信号が検出端子７０５に入力される。そのため、検出端子７０５の電位は、充電端子５０と同電位となる。検出端子７０５に入力された信号は、検出部６０に入力されてステップＳＴ１２に進む。
【０１２５】
ステップＳＴ１２において、検出部６０は、検出部６０に入力された信号の論理により、携帯電話機１が第１状態Ｕ１で充電台９００に装着されたことを検出し、ステップＳＴ１３に進む。
【０１２６】
ステップＳＴ１３において、図１５における第１スイッチ部６２を選択端子６２ｂ側、第２スイッチ部６３を選択端子６３ｃ側へ切り替えることにより、第１供給端子７１０と充電回路部６７を接続する。そして、ステップＳＴ１４に進む。
【０１２７】
ステップＳＴ１４において、電力供給部６８から電力を出力させる。電力供給部６８から出力された電力は、第１供給端子７１０から出力されて、携帯電話機１の充電端子５０を介して携帯電話機１に供給される。
【０１２８】
続けて、図１９により、携帯電話機１が第２状態Ｕ２で充電台９００に装着される場合における充電方法について説明する。
図１９に示すように、ステップＳＴ２１において、検出端子７０５が基準電位端子５１に接続されると、検出端子７０５は、基準電位端子５１と同じ基準電位Ｇになる。検出端子７０５の基準電位Ｇの信号は、検出部６０に入力されてステップＳＴ２２に進む。
【０１２９】
ステップＳＴ２２において、検出部６０は、検出部６０に入力された信号の論理により、携帯電話機１が第２状態Ｕ２で充電台９００に装着されたことを検出し、ステップＳＴ２３に進む。
【０１３０】
ステップＳＴ２３において、図１５における第１スイッチ部６２を選択端子６２ｃ側、第２スイッチ部６３を選択端子６３ｂ側へ切り替えることにより、第２供給端子７２０と信号発生回路部６６及び充電回路部６７を接続する。そして、ステップＳＴ２４に進む。
【０１３１】
ステップＳＴ２４において、電力供給部６８から電力を出力させる。電力供給部６８から出力された電力は、第１供給端子７１０から出力されて、携帯電話機１の充電端子５０を介して携帯電話機１に供給される。
【０１３２】
本実施形態の充電システムＳによれば、以下のような効果を奏する。
本実施形態によれば、検出端子７０５が携帯電話機１の充電端子５０又は基準電位端子５１に電気的に接続されることにより、携帯電話機１が充電台９００へ第１状態Ｕ１又は第２状態Ｕ２で装着されたかの検出ができる。そのため、第１状態Ｕ１又は第２状態Ｕ２のいずれの状態で携帯電話機１が充電台９００に装着された場合であっても、携帯電話機１の充電池４６ａに電力を供給できる。
【０１３３】
また、本実施形態によれば、携帯電話機１は、充電端子５０及び基準電位端子５１の２つの端子を有するのみで、第１状態Ｕ１又は第２状態Ｕ２のいずれの状態で携帯電話機１が充電台９００に装着された場合であっても、携帯電話機１の充電池４６ａに電力を供給できる充電システムＳを実現できる。
【０１３４】
また、本実施形態によれば、充電端子５０又は基準電位端子５１のいずれか一方が、検出端子７０５及び第１供給端子７１０の両方に接続された場合に、検出部６０は第１状態Ｕ１又は第２状態Ｕ２であるかの検出をする。そのため、充電端子５０又は基準電位端子５１が確実に第１供給端子７１０に接続されてから、充電台９００は携帯電話機１に電力を供給することができる。
【０１３５】
また、本実施形態によれば、携帯電話機１は、第１面３１側に第２サブ表示部２６と、第２面３２側に第１サブ表示部３０とを有しているので、携帯電話機１を充電台９００に装着して充電している状態において、第２サブ表示部２６又は／及び第１サブ表示部３０に表示画像を表示させることができる。
【０１３６】
また、本実施形態によれば、携帯電話機１は、第２サブ表示部２６及び第１サブ表示部３０の表示動作を、検出部６０の検出結果に基づいて制御する表示制御部２３０を有する。そのため、例えば、携帯電話機１が充電台９００に第１状態Ｕ１で装着されており、第１サブ表示部３０が充電台９００側に配置されて外部から見えない場合に、第１サブ表示部３０を表示させない制御をすることができる。そのため、携帯電話機１における消費電力を低減することができる。
【０１３７】
また、本実施形態によれば、携帯電話機１は、スピーカ２４と、スピーカ２４の音量を検出部６０の検出結果に基づいて制御する音声制御部２２０を有する。そのため、携帯電話機１が充電台９００に装着されている第１状態Ｕ１であって、スピーカ２４からの音が妨げられるように携帯電話機１が充電台９００に載置される場合であっても、使用者が外部から十分聞こえる程度にスピーカ２４の音声の大きさを調整するように制御することができる。具体的には、音声制御部２２０は、検出部６０が第１状態Ｕ１を検出した後のスピーカ２４の音量の大きさを、検出部６０が第２状態Ｕ２を検出した後のスピーカ２４の音量よりも大きくすることができる。そして、音声制御部２２０は、第１状態Ｕ１又は第２状態Ｕ２で携帯電話機１が充電台９００に装着される場合において、使用者が外部から聞くことができるスピーカ２４からの音声の大きさを、第１状態Ｕ１又は第２状態Ｕ２いずれの状態であっても同程度になるように調整することができる。
【０１３８】
また、本実施形態における充電方法は、携帯電話機１が第１状態Ｕ１又は第２状態Ｕ２で装着されたことを検出する検出工程と、第１供給端子又は第２供給端子を介して電力供給部から充電池へ電力を供給する電力制御工程を有する。そのため、第１状態Ｕ１又は第２状態Ｕ２のどちらの状態で携帯電話機１が充電台９００に装着された場合であっても、携帯電話機１の充電池４６ａに電力を供給できる。
【０１３９】
以上、好適な実施形態について説明したが、本発明は上述した実施形態に限定されることなく種々の形態で実施することができる。
【０１４０】
充電端子５０及び基準電位端子５１は、前述の実施形態では携帯電話機１の長手方向ＸにおけるＸ２側の端面に配置されているが、これに限定されない。
【０１４１】
また、検出端子７０５及び第１供給端子７１０は、前述の実施形態では装着方向Ｚにおいて並んで配置されているが、これに限定されない。検出端子７０５及び第２供給端子７２０が装着方向Ｚにおいて並んで配置されていてもよい。
【０１４２】
また、携帯電話機１の充電台９００への装着方向Ｚに関する情報を充電台９００側から携帯電話機１に出力する構成は、前述の実施形態ではパルス波形信号Ｐの信号電圧を出力する構成であるが、これには限定されない。
【０１４３】
また、携帯電話機１は、前述の実施形態では第２面３２側の第１サブ表示部３０及び第１面３１側の第２サブ表示部２６の２つのサブ表示部を備えているが、これには限定されない。第２面３２に第１サブ表示部３０が備えられているが、第１面３１にサブ表示部が備えられていない構成であってもよい。この場合、表示制御部２３０は、検出部６０が第１状態Ｕ１を検出した場合には、第１サブ表示部３０が充電台９００に覆われて外部から見えないので、第１サブ表示部３０の表示動作を停止する制御をすることができる。また、表示制御部２３０は、検出部６０が第２状態Ｕ２を検出した場合には、第１サブ表示部３０が充電台９００に覆われていないので、第１サブ表示部３０の表示動作を実行するように制御することができる。
【０１４４】
また、前述の実施形態は、連結部４により折り畳み可能な携帯電話機１であるが、携帯電子機器は、これに制限されず、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一体的に形成され連結部を有さない型式（ストレートタイプ）でもよい。
【０１４５】
また、前述の実施形態は、携帯電子機器を携帯電話機に適用しているが、本発明は、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等に適用することができる。
【符号の説明】
【０１４６】
１  携帯電話機（携帯電子機器）
２  操作部側筐体（筐体）
３  表示部側筐体（筐体）
３１  第１面
３２  第２面
４６ａ  充電池
５０  充電端子
５１  基準電位端子
６０  検出部
６８  電力供給部
６７  充電回路部
７０５  検出端子
７１０  第１供給端子
７２０  第２供給端子
９００  充電台
Ｓ  充電システム
Ｕ１  第１状態
Ｕ２  第２状態
【図１】
2010200445.tif 000003
【図２】
2010200445.tif 000004
【図３】
2010200445.tif 000005
【図４】
2010200445.tif 000006
【図５】
2010200445.tif 000007
【図６】
2010200445.tif 000008
【図７】
2010200445.tif 000009
【図８】
2010200445.tif 000010
【図９】
2010200445.tif 000011
【図１０】
2010200445.tif 000012
【図１１】
2010200445.tif 000013
【図１２】
2010200445.tif 000014
【図１３】
2010200445.tif 000015
【図１４】
2010200445.tif 000016
【図１５】
2010200445.tif 000017
【図１６】
2010200445.tif 000018
【図１７】
2010200445.tif 000019
【図１８】
2010200445.tif 000020
【図１９】
2010200445.tif 000021